(57)【要約】      （修正有）【課題】開示の装置は、歯ブラシの刷毛部位内に適量の水を供給し、又、水・食べかす等を口腔内から適切に取り除くと共に、装置構成を簡素化した。【解決手段】開示の装置１は、把柄部、頸部、頭部及び刷毛部を備える歯ブラシ本体２であって、人力によって吸気・排気するポンプ１２による排気動作に基づいて、歯ブラシ本体に給水する給水路２２、及びポンプによる吸気動作に基づいて、歯ブラシ本体から排水する排水路３２が連結される歯ブラシ本体と、給水路及びポンプの排気機構と連通する気密の給水タンク１８と、排水路及びポンプの吸気機構と連通する気密の排水タンク２０とを有する歯ブラシ装置であって、給水路の端部２４が刷毛部内に配置され、該刷毛部内に配置される部位の先端が閉口し、該部位の側部に水を吐出する孔を備え、排水路の端部が、刷毛部と当接する位置付近に配置される。【選択図】図１
2018047186.tif 000002
【特許請求の範囲】
【請求項１】
把柄部、頸部、頭部及び刷毛部を備える歯ブラシ本体であって、人力によって吸気・排気するポンプによる排気動作に基づいて該歯ブラシ本体に給水する給水路及び前記ポンプによる吸気動作に基づいて該歯ブラシ本体から排水する排水路が連結される歯ブラシ本体と、
前記給水路及び前記ポンプの排気機構と連通する気密の給水タンクと、
前記排水路及び前記ポンプの吸気機構と連通する気密の排水タンクと、を有する歯ブラシ装置であって、
前記給水路が、端部が前記刷毛部内に配置され、該刷毛部内に配置される部位の先端が閉口し、該部位の側部に水を吐出する孔を備え、
前記排水路の端部が、前記刷毛部と当接する位置付近に配置されることを特徴とする口腔内清掃装置。
【請求項２】
前記給水路において、前記刷毛部内に配置される部位が前記刷毛部の刷毛と略同方向及び略同じ長さであるように配置されることを特徴とする請求項１に記載の口腔内清掃装置。
【請求項３】
前記給水路の端部が、前記刷毛部内の中央より先端寄りの位置に配置され、
前記刷毛部内に配置される前記給水路において、側部に備える孔が、前記排水路の端部方向に向けて備えられることを特徴とする請求項１又は２に記載の口腔内清掃装置。
【請求項４】
前記刷毛部内に配置される前記給水路の材料が、前記刷毛と同じように撓る性質を備えた材料であることを特徴とする請求項１乃至３の何れか一に記載の口腔内清掃装置。
【請求項５】
前記ポンプが、人力によって排気する第１ポンプ及び人力によって吸気する第２ポンプを備えることを特徴とする請求項１乃至４の何れか一に記載の口腔内清掃装置。
【請求項６】
前記給水路が、該給水路を押さえ該給水路の断面積を変化させることによって、前記歯ブラシ本体への給水量を調整する機構を備えることを特徴とする請求項１乃至５の何れか一に記載の口腔内清掃装置。
【請求項７】
前記給水路が、前記把柄部、前記頸部及び前記頭部の裏側を通り、該頭部を該裏側から表側へ貫通し、該頭部表面から前記刷毛部へ突出していることを特徴とする請求項１乃至６の何れか一に記載の口腔内清掃装置。
【請求項８】
前記給水路が、前記把柄部、前記頸部及び前記頭部の内部を通り、該頭部表側から前記刷毛部へ突出していることを特徴とする請求項１乃至６の何れか一に記載の口腔内清掃装置。
【請求項９】
前記排水路が、前記把柄部、前記頸部の表面上に配置されることを特徴とする請求項１乃至８の何れか一に記載の口腔内清掃装置。
【請求項１０】
前記排水路が、前記把柄部、前記頸部の内部に配置されることを特徴とする請求項１乃至８の何れか一に記載の口腔内清掃装置。
【発明の詳細な説明】
【技術分野】
【０００１】
口腔内を清掃するための装置の技術に関する。
【背景技術】
【０００２】
口腔内を不潔な状態にしておくと、重症の口腔疾患を生じさせ、場合によっては呼吸器合併症を引き起こし死に至ることも考えられるため、口腔内を清潔に保つことは非常に重要なことである。
【０００３】
一方、重度の障害者、寝たきり老人、重症入院患者などのいわゆる身体障害者（以下、患者等）は、自分で歯を磨くことが出来ないために介助者を必要とするが、唾液分泌量が少なく口腔内が乾燥してしまう傾向にある。そのために、口腔内に注水する必要があるが、注水された水を自分で排出することができないため、注水と同時に口腔内に溜った水を吸引する必要がある。
【０００４】
他方、地震等の被災地における避難所では清潔な水が不足する傾向にあるため、歯磨きが疎かにされ、その結果、口腔内の不潔さを原因とする口腔疾患、それに起因する呼吸器合併症の罹患が避難所に滞在する方の中で問題となっている。
【０００５】
上記したような背景から、口腔内を清掃する装置の研究・開発が盛んに行われており、例えば、特許文献１乃至５の文献では、種々の口腔内清掃装置、歯ブラシ装置が提案されている。
【先行技術文献】
【特許文献】
【０００６】
【特許文献１】特表２００８−５０１４１１号公報
【特許文献２】特開平９−２０１２３３号公報
【特許文献３】特開２０００−１３９９６３号公報
【特許文献４】特開２００６−３３４２７６号公報
【特許文献５】特開２００６−６５７０号公報
【発明の概要】
【発明が解決しようとする課題】
【０００７】
しかしながら、上記の従来技術においては、歯ブラシの刷毛の部位に適度に水を行き渡らせることができないだけでなく、口腔内に余分な水を供給してしまうことになるという問題点を有する。口腔内に余分な水が供給されることによって、患者等に咽（むせ）を生じさせてしまうリスクがある一方、避難所で生活をする者にとっても、余分な水が口腔内に供給されると歯磨きがし難いし、避難所における大切な水を無駄にすることにもなる。
【０００８】
また、上記の従来技術においては、装置自体が複雑で大掛かりなものとなり、携帯性が低く持ち運びに不便であるとか、装置の価格が高価となり必要な台数を配備することができなくなるとかの問題点がある。
【０００９】
そこで本発明では、上記問題点に鑑み、歯ブラシの刷毛部位内に適量の水を供給し、又、水・食べかす等を口腔内から適切に取り除くと共に、装置構成を簡素化した口腔内清掃装置を提供することを目的とする。
【課題を解決するための手段】
【００１０】
開示する口腔内清掃装置の一形態は、把柄部、頸部、頭部及び刷毛部を備える歯ブラシ本体であって、人力によって吸気・排気するポンプによる排気動作に基づいて該歯ブラシ本体に給水する給水路及び前記ポンプによる吸気動作に基づいて該歯ブラシ本体から排水する排水路が連結される歯ブラシ本体と、前記給水路及び前記ポンプの排気機構と連通する気密の給水タンクと、前記排水路及び前記ポンプの吸気機構と連通する気密の排水タンクと、を有する歯ブラシ装置であって、前記給水路が、端部が前記刷毛部内に配置され、該刷毛部内に配置される部位の先端が閉口し、該部位の側部に水を吐出する孔を備え、前記排水路の端部が、前記刷毛部と当接する位置付近に配置されることを特徴とする。
【発明の効果】
【００１１】
開示する口腔内清掃装置は、歯ブラシの刷毛部位内に適量の水を供給し、又、水・食べかす等を口腔内から適切に取り除くと共に、装置構成を簡素化した。
【図面の簡単な説明】
【００１２】
【図１】本実施の形態に係る口腔内清掃装置の全体を示す図である。
【図２】本実施の形態に係る歯ブラシ本体を示す図である。（ａ）側面図、（ｂ）平面図。
【図３】本実施の形態に係るポンプ（第１ポンプ、第２ポンプ）を示す図である。（ａ）通常時のポンプ、（ｂ）収縮時のポンプ。
【図４】本実施の形態に係る歯ブラシ本体の頭部及び刷毛部を示す図である。
【図５】本実施の形態に係る給水路における給水量を調整する機構を示す図である。
【発明を実施するための形態】
【００１３】
図面を参照しながら、本発明を実施するための形態について説明する。
（本実施の形態に係る口腔内清掃装置の構造）
【００１４】
図１乃至５を用いて、本実施の形態に係る口腔内清掃装置（以下、単に「本装置」という。）１の構造について説明する。図１は、本装置１の全体を示す図である。
【００１５】
本装置１は、人力によって吸排気するポンプを動力として、歯ブラシに水を供給し、歯ブラシ付近に滞留する水や食べかすを回収する装置である。本装置１は、人力を動力源とすることによって装置構成を簡素化させ、歯ブラシへの注水の仕方及び歯ブラシ付近の水・食べかすの回収の仕方を工夫することによって適切かつ効率よく口腔内清掃を行うことができるようにする。
【００１６】
図１で示すように、本装置１は、歯ブラシ本体２、ポンプ１２、給水タンク１８、排水タンク２０、給水路２２、排水路３２、給水路２２における給水量を調整する機構（以下、「給水量調整機構」という。）３６を有する。
【００１７】
図１及び２で示すように、歯ブラシ本体２は、所謂歯ブラシであり、把柄部４、頸部６、頭部８、刷毛部１０を有する。歯ブラシ本体２は、給水路２２及び排水路３２と連結される。なお、給水路２２及び排水路３２については後ほど詳述する。
【００１８】
ポンプ１２は、人力によって吸気・排気する装置である。図３で示すように、ポンプ１２は、例えば、蛇腹状の胴体部分を広げた状態から押し潰された状態へ移行する過程（図３の（ａ）→（ｂ））で空気を排出し、蛇腹状の胴体部分を押し潰された状態から広げた状態へ移行する過程（図３の（ｂ）→（ａ））で空気を吸い込む。
【００１９】
図１で示すように、ポンプ１２は、第１ポンプ１４、第２ポンプ１６を有する。第１ポンプ１４は、人力によって排気する機能を備え、例えば、図３の（ａ）から（ｂ）へ遷移する過程でその機能を発揮する。第２ポンプ１６は、人力によって吸気する機能を備え、例えば、図３の（ｂ）から（ａ）へ遷移する過程でその機能を発揮する。後述するように、本装置１は、２つのポンプ１４、１６を使用することにより、口腔内への給水と、口腔内からの水・食べかすの回収と、を独立して行うことができる。
【００２０】
図１及び３で示すように、ポンプ１２（第１ポンプ１４、第２ポンプ１６）は、排気口、吸気口をそれぞれ備えているため、２つのポンプ１４、１６を使用せずに、これらのうち何れか一方のポンプを使用する形態としても良い。本装置１の構成をより簡素化することができる。
【００２１】
給水タンク１８は、給水路２２及びポンプ１２（第１ポンプ１４）の排気口に連結される機密のタンクであり、ポンプ１２が空気を排出する力（ポンプ１２の排気の力）を使って、タンク１８内に貯蔵される液体（主に、水）を、給水路２２を介して、歯ブラシ本体２（刷毛部１０）へ供給する。
【００２２】
排水タンク２０は、排水路３２及びポンプ１２（第２ポンプ１６）の吸気口に連結される機密のタンクであり、ポンプ１２が空気を吸い込む力（ポンプ１２の吸気の力）を使って、歯ブラシ本体２（刷毛部１０）付近に滞留している液体（主に、水）や食べかす等を、排水路３２を介して、タンク２０内に回収する。
【００２３】
図１及び２で示すように、給水路２２は、一端が給水タンク１８に連結されると共に、他端が歯ブラシ本体２に連結され、歯ブラシ本体２へ給水タンク１８内に貯蔵される液体（主に、水）を供給する。
【００２４】
図２及び４で示すように、給水路２２は、歯ブラシ本体２の把柄部４、頸部６、頭部８を通り、その端部２４が刷毛部１０内に配置されると共に、その端部先端２６は、液体が漏れないように閉口している（先端２６が閉じた状態となっている）。
【００２５】
また、図４で示すように、給水路２２の刷毛部１０内に配置される部位である端部２４の側部２８は、給水路２２を介して刷毛部１０内に供給された液体を吐出するための孔３０を備えており、それによって供給された液体を刷毛部１０内に巡回させることができる。
【００２６】
供給された液体を刷毛部１０内に効率よく巡回させるために、給水路２２の端部２４は、刷毛部１０の中央より先端寄り（先端付近）に位置し、孔３０は、側部２８に、排水路３２の端部３４方向に向けて配置されることが好適である。この位置に端部２４を配置する理由は、刷毛部１０に幅をもたせて、水の流れを作るためである。刷毛部１０先端に刷毛を残す理由は、当該刷毛が歯頚部等の食渣をかき出す能力に優れており、それを活かすためである。さらに孔３０は、側部２８中央から左右４５°程度の位置に配置されることが好適である。供給された液体を刷毛部１０内に効率よく巡回させるためである。
【００２７】
上記構成を採用することによって、刷毛部１０にはブラッシング動作に適量の液体（主に、水）が供給されるため、歯ブラシ本体２を使用した適切なブラッシング動作を行うことができる。
【００２８】
また、給水路２２の端部２４は、歯磨き行為を違和感なく行うことができるように、ブラッシング動作を行うとき、刷毛部１０の刷毛と同様に撓む性質を備える材料、例えば、シリコン、ゴム等の材料で製作されることが好適である。
【００２９】
図２で示すように、給水路２２は、把柄部４、頸部６、頭部８の裏側を通り、頭部８を貫通して、刷毛部１０に至る形態であっても良く、把柄部４、頸部６、頭部８の歯ブラシ本体２内部を通り、頭部８表側から刷毛部１０に突出する形態であっても良い。前者の構成の場合、市販の歯ブラシを利用して本装置１を製作することができるため、装置構成を簡素化することができる。なお、後者については図示していない。
【００３０】
図１及び２で示すように、排水路３２は、一端が排水タンク２０に連結されると共に、他端が歯ブラシ本体２に連結され、歯ブラシ本体２付近に滞留する液体（主に、水）及び食べかす等を排水タンク２０内へ回収する。
【００３１】
図２で示すように、排水路３２は、歯ブラシ本体２の把柄部４、頸部６を通り、その端部３４が刷毛部１０と当接する位置（頭部８の表側根元）付近に配置される。
【００３２】
上記構成を採用することによって、刷毛部１０に供給された水を効率的に回収することができ、また、ブラッシングによって歯から離れた食べかすを直ぐに回収することができるため、歯磨きを行う者の咽（むせ）の発生を抑えることができる。
【００３３】
図２で示すように、排水路３２は、把柄部４、頸部６の表側表面を通り、刷毛部１０（頭部８の根元付近）に至る形態であっても良く、把柄部４、頸部６の歯ブラシ本体２内部を通り、刷毛部１０（頭部８の根元付近）に至る形態であっても良い。前者の構成の場合、市販の歯ブラシを利用して本装置１を製作することができるため、装置構成を簡素化することができる。なお、後者については図示していない。
【００３４】
図２において給水路２２及び排水路３２は、歯ブラシ本体２に、３つの結束具を用いて位置関係を固定されているが、これら三者の固定方法はこれに限定されず、その他の手法を用いて固定される形態としても良い。
【００３５】
給水量調整機構３６は、給水路２２を押さえ給水路２２の断面積を変化させることによって、歯ブラシ本体２への液体の供給量（給水量）を調整する（変化させる）機構である。図５で示すように、給水量調整機構３６は、例えば、給水路２２への球形（円形）の部材の押し込み具合を変化させることによって給水路２２の断面積を変化させ、それによって歯ブラシ本体２への液体の供給量を調整する構成を採用しても良い。歯磨きを行う者の要望に合わせ、口腔内へ供給する液体量を調整し、咽（むせ）を抑制する。
【００３６】
上記のような構成を採用することによって、本装置１は、歯ブラシの刷毛部位内に適量の水を供給し、又、水・食べかす等を口腔内から適切に取り除くと共に、装置構成を簡素化する。
（本実施の形態に係る口腔内清掃装置の使用方法）
【００３７】
図１乃至５を用いて、本装置１の使用方法について説明する。本装置１の操作者は、第１ポンプ１４を手で押したり足で踏んだりして、第１ポンプ１４に空気を排出させ、その空気を給水タンク１８へ送り込む。そうすると、本装置１は、給水タンク１８内に貯めていた液体（主に、水）を、給水路２２を介して、刷毛部１０の刷毛内に注水する。
操作者は、給水量調整機構３６を操作することによって、刷毛部１０内に注水する水量を適宜調節する。
【００３８】
一方、操作者は、第２ポンプ１６を手で押したり足で踏んだりして、第２ポンプ１６に排水タンク２０内の空気を吸い込ませる。そうすると、本装置１は、排水路３２端部付近の液体（主に、水）や食べかす等を、排水路３２を介して、排水タンク２０内に回収する。
【００３９】
操作者は、上記するような、歯ブラシ本体２への注水動作、及び歯ブラシ本体２付近の液体や食べかす等の回収動作を行いつつ、歯ブラシ本体２を使用したブラッシング動作を行い、口腔内の清掃処置を行う。
【００４０】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４１】
１    口腔内清掃装置
２    歯ブラシ本体
４    把柄部
６    頸部
８    頭部
１０  刷毛部
１２  ポンプ
１４  第１ポンプ
１６  第２ポンプ
１８  給水タンク
２０  排水タンク
２２  給水路
２４  給水路の端部
２６  給水路の端部先端
２８  給水路の端部側部
３０  給水路の端部側部の孔
３２  排水路
３４  排水路の端部
３６  給水量を調整する機構
【図１】
2018047186.tif 000003
【図２】
2018047186.tif 000004
【図３】
2018047186.tif 000005
【図４】
2018047186.tif 000006
【図５】
2018047186.tif 000007
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
把柄部、頸部、頭部及び刷毛部を備える歯ブラシ本体であって、人力によって吸気・排気するポンプによる排気動作に基づいて該歯ブラシ本体に給水する給水路及び前記ポンプによる吸気動作に基づいて該歯ブラシ本体から排水する排水路が連結される歯ブラシ本体と、
前記給水路及び前記ポンプの排気機構と連通する気密の給水タンクと、
前記排水路及び前記ポンプの吸気機構と連通する気密の排水タンクと、を有する口腔内清掃装置であって、
前記給水路が、端部が前記刷毛部内に配置され、かつ、前記刷毛部内に配置される部位が該刷毛部の刷毛と略同方向であるように配置され、該刷毛部内に配置される部位の先端が閉口し、該部位の側部に水を吐出する孔を備え、
前記排水路の端部が、前記刷毛部と当接する位置付近に配置されることを特徴とする口腔内清掃装置。
【請求項２】
前記給水路において、前記刷毛部内に配置される部位が前記刷毛部の刷毛と略同じ長さであるように配置されることを特徴とする請求項１に記載の口腔内清掃装置。
【請求項３】
前記給水路の端部が、前記刷毛部内の前記歯ブラシ本体長手方向における中央より先端寄りの位置に配置され、
前記刷毛部内に配置される前記給水路において、側部に備える孔が、前記排水路の端部方向に向けて備えられることを特徴とする請求項１又は２に記載の口腔内清掃装置。
【請求項４】
前記刷毛部内に配置される前記給水路の材料が、前記刷毛と同じように撓る性質を備えた材料であることを特徴とする請求項１乃至３の何れか一に記載の口腔内清掃装置。
【請求項５】
前記ポンプが、人力によって排気する第１ポンプ及び人力によって吸気する第２ポンプを備えることを特徴とする請求項１乃至４の何れか一に記載の口腔内清掃装置。
【請求項６】
前記給水路が、該給水路を押さえ該給水路の断面積を変化させることによって、前記歯ブラシ本体への給水量を調整する機構を備えることを特徴とする請求項１乃至５の何れか一に記載の口腔内清掃装置。
【請求項７】
前記給水路が、前記把柄部、前記頸部及び前記頭部の裏側を通り、該頭部を該裏側から表側へ貫通し、該頭部表面から前記刷毛部へ突出していることを特徴とする請求項１乃至６の何れか一に記載の口腔内清掃装置。
【請求項８】
前記給水路が、前記把柄部、前記頸部及び前記頭部の内部を通り、該頭部表側から前記刷毛部へ突出していることを特徴とする請求項１乃至６の何れか一に記載の口腔内清掃装置。
【請求項９】
前記排水路が、前記把柄部、前記頸部の表面上に配置されることを特徴とする請求項１乃至８の何れか一に記載の口腔内清掃装置。
【請求項１０】
前記排水路が、前記把柄部、前記頸部の内部に配置されることを特徴とする請求項１乃至８の何れか一に記載の口腔内清掃装置。
【手続補正２】
【補正対象書類名】明細書
【補正対象項目名】００１０
【補正方法】変更
【補正の内容】
【００１０】
開示する口腔内清掃装置の一形態は、把柄部、頸部、頭部及び刷毛部を備える歯ブラシ本体であって、人力によって吸気・排気するポンプによる排気動作に基づいて該歯ブラシ本体に給水する給水路及び前記ポンプによる吸気動作に基づいて該歯ブラシ本体から排水する排水路が連結される歯ブラシ本体と、前記給水路及び前記ポンプの排気機構と連通する気密の給水タンクと、前記排水路及び前記ポンプの吸気機構と連通する気密の排水タンクと、を有する口腔内清掃装置であって、前記給水路が、端部が前記刷毛部内に配置され、かつ、前記刷毛部内に配置される部位が該刷毛部の刷毛と略同方向であるように配置され、該刷毛部内に配置される部位の先端が閉口し、該部位の側部に水を吐出する孔を備え、前記排水路の端部が、前記刷毛部と当接する位置付近に配置されることを特徴とする。